(57)【要約】【課題】フィールド機器からパルスを出力するときに、１周期の間にパルスが出力されていないパルス停止期間をなくして、正確な流量の状態を通知することを目的とする。【解決手段】本発明のフィールド機器は、流量を測定して、この流量を示す流量信号Ｄを出力する流量センサ４と、流量信号Ｄに基づいて流量を演算する流量演算器５と、流量に応じたパルス数のパルスＰを発生するパルス発生器７と、流量の演算を行う１周期の間に流量に応じたパルスＰを発生するときに、パルスＰを発生していないパルス停止期間が生じないようにパルスＰのうち一部のパルスのパルス幅の補正を行うパルス幅補正計算器６と、を備えたことを特徴とする【選択図】  図１
2013164322.tif 000002
【特許請求の範囲】
【請求項１】
物理量を測定して、この物理量を示す物理量信号を出力する検出部と、
前記物理量信号に基づいて前記物理量を演算する演算部と、
前記物理量に応じたパルス数のパルスを発生するパルス発生部と、
前記物理量の演算を行う１周期の間に前記物理量に応じた前記パルスを発生するときに、前記パルスを発生していないパルス停止期間が生じないように前記パルスのうち一部のパルスのパルス幅の補正を行うパルス補正部と、
を備えたことを特徴とするフィールド機器。
【請求項２】
前記パルス補正部は、補正を行ったパルスである補正パルスのパルス幅に前記補正パルスのパルス数を乗算した補正時間と、補正を行っていないパルスである非補正パルスのパルス幅に前記非補正パルスのパルス数とを乗算した非補正時間との合計が前記１周期の時間となるように補正を行うこと
を特徴とする請求項１記載のフィールド機器。
【請求項３】
前記パルス補正部は、前記１周期の時間から前記物理量に応じたパルス数を除算した値に対して前記パルス発生部の分解能よりも小さい値を切り捨てた値を前記非補正パルスのパルス幅とし、
前記１周期の時間から前記物理量に応じたパルス数と前記非補正パルスのパルス幅とを乗算した値を減算して、この減算した時間をパルス停止期間とし、
このパルス停止期間を前記パルス発生部のＮ（Ｎは自然数）分解能で除算した値を前記補正パルスのパルス数として、前記補正パルスのパルス幅は前記非補正パルスのパルス幅にＮを加算した値とし、
前記非補正パルスのパルス数は前記物理量に応じたパルス数から前記補正パルスのパルス数を減算した値として計算すること
を特徴とする請求項２記載のフィールド機器。
【請求項４】
前記パルス補正部は、前記Ｎの値を１として計算すること
を特徴とする請求項３記載のフィールド機器。
【請求項５】
前記パルス補正部は、前記補正期間のパルスがＨｉｇｈになっている時間とＬｏｗになっている時間とを前記パルス幅として個別的に補正可能なこと
を特徴とする請求項２記載のフィールド機器。
【請求項６】
物理量を測定して得られる物理量信号に基づいて前記物理量を演算し、この物理量に応じたパルスを発生するフィールド機器から前記パルスを出力するときに、
前記物理量の演算を行う１周期の間に前記パルスを出力していないパルス停止期間が生じないように前記１周期の中の前記パルスの一部のパルスにパルス幅の補正を行うこと
を特徴とするフィールド機器のパルス出力方法。
【発明の詳細な説明】
【技術分野】
【０００１】
本発明は、測定対象の物理量を測定するフィールド機器およびフィールド機器からパルスを出力するフィールド機器のパルス出力方法に関するものである。
【背景技術】
【０００２】
流量や圧力、温度等の物理量を測定するためにフィールド機器が用いられる。フィールド機器は物理量を検出して演算を行うことで測定を行う。測定した物理量はパルス信号として、フィールド機器の外部に設けられる制御装置に出力される。これにより、制御装置は物理量を認識する。この制御装置は、フィールド機器の制御を行う上位装置である。フィールド機器の一例として流量計が特許文献１に開示されている。
【０００３】
図４は、特許文献１に示されている流量計を簡略的に示している。流量計１０１は配管１０３を流れる流量を測定するフィールド機器であり、この流量計１０１の外部に設けられる制御装置１０２に接続される。流量計１０１は、流量センサ１０４と流量演算器１０５とパルス発生器１０６とを備えて構成している。
【０００４】
流量センサ１０４は配管１０３を流れる流体の流量を検出する。流量センサ１０４が検出した流量は流量信号Ｄとして流量演算器１０５に出力される。流量演算器１０５は、流量信号Ｄを入力して、流体の流量の演算を行う。流量演算器１０５は演算した流量に応じたパルス数が出力されるようにパルス発生器１０６に設定値Ｓを出力する。
【０００５】
例えば、流量測定を行う周期（単に周期とする）が１，０００ｍｓに設定されているとする。流量演算器１０５は流量信号Ｄに基づいて流量を演算し、この流量に対応するパルス数が１周期の間に１５，０００であるとする。パルス発生器１０６はパルスを発生させるときの所定の分解能を有しており、ここでは分解能が１μｓであるとする。
【０００６】
１，０００ｍｓは１，０００，０００μｓであり、流量を示すパルス数１５，０００で除算すると、「１，０００，０００÷１５，０００＝６６．６６６・・・μｓ」となる。前述したようにパルス発生器１０６の分解能は１μｓである。よって、小数点以下は分解能よりも小さい値になり、パルス発生器１０６では処理不能な値になる。よって、小数点以下は切り捨てを行って、演算を行う。この場合、小数点以下が切り捨てられるため、前記の演算結果は「６６μｓ」となる。
【０００７】
この演算結果は、１周期の間に出力されるパルスＰのパルス幅になる。つまり、６６μｓのパルス幅のパルスＰが１周期の間に１５，０００回出力されることになる。制御装置１０２はこのパルスＰを入力する。そして、１周期の間に１５，０００回のパルスを入力することにより、配管１０３を流れる流体の流量を認識する。
【先行技術文献】
【特許文献】
【０００８】
【特許文献１】特開２０１１−１６９７７６号公報
【発明の概要】
【発明が解決しようとする課題】
【０００９】
ところで、配管１０３を流れる流体の流量は変化する。そして、流量演算器１０５は流量信号Ｄに基づいてパルスＰの設定を行う。従って、流量が変化すれば、１周期のパルス数も変化し、前述したように１５，０００の場合もあれば、１０，０００の場合もある。
【００１０】
パルス数が１５，０００の場合には、パルス幅を設定するときに行われる除算により小数点以下の値が発生する。分解能が１μｓの場合には、小数点以下は処理不能な値になるため、切り捨ての対象になる。従って、パルス幅は「６６μｓ」に設定されている。
【００１１】
従って、１周期の間にパルス幅６６μｓのパルスＰが１５，０００回出力される。このため、１周期の間にパルスＰを出力するパルス出力期間は１周期の時間と一致しない。図５はその状態を示しており、１周期（＝１，０００ｍｓ）の間にパルス停止期間１０ｍｓを生じる。
【００１２】
つまり、「６６μｓ×１５，０００＝９９０，０００μｓ＝９９０ｍｓ」であり、これがパルス出力期間となる。このパルス出力期間（＝９９０ｍｓ）は１周期（＝１，０００ｍｓ）とは一致しない。つまり、１０ｍｓの間はパルスＰが出力されていない期間を生じる。これがパルス停止期間となる。
【００１３】
制御装置１０２はパルスＰに基づいて、配管１０３の流量を認識している。パルス停止期間を生じると、実際には流体が正常に流れているにもかかわらず、パルス停止期間により、流体が停止していると誤認識をする。つまり、制御装置１０２は、実際の流体の状態とは異なる認識を行なうことになる。これにより、流量計１０１は流体の状態を正確に通知することができなくなる。
【００１４】
これは、１周期の間に出力するパルスＰのパルス幅を演算するときに、演算したパルス幅がパルス発生器１０６の分解能よりも小さい値（前述の場合は小数点以下）を切り捨てることが原因となる。配管１０３を流れる流体の流量は変化するため、流量に応じたパルス数に基づいて演算を行うと、パルス数と周期との関係によっては、パルス停止期間を生じる。
【００１５】
そこで、本発明は、フィールド機器からパルスを出力するときに、１周期の間にパルスが出力されていないパルス停止期間をなくして、正確な流量の状態を通知することを目的とする。
【課題を解決するための手段】
【００１６】
以上の課題を解決するため、本発明のフィールド機器は、物理量を測定して、この物理量を示す物理量信号を出力する検出部と、前記物理量信号に基づいて前記物理量を演算する演算部と、前記物理量に応じたパルス数のパルスを発生するパルス発生部と、前記物理量の演算を行う１周期の間に前記物理量に応じた前記パルスを発生するときに、前記パルスを発生していないパルス停止期間が生じないように前記パルスのうち一部のパルスのパルス幅の補正を行うパルス補正部と、を備えたことを特徴とする。
【００１７】
このフィールド機器によれば、パルス補正部がパルス停止期間を生じないように、１周期の間のパルスのうち一部のパルスにパルス幅の補正を行っている。この補正を行うことで、パルス停止期間を生じなくすることができる。これにより、正確な流量の状態を通知することができる。
【００１８】
また、前記パルス補正部は、補正を行ったパルスである補正パルスのパルス幅に前記補正パルスのパルス数を乗算した補正時間と、補正を行っていないパルスである非補正パルスのパルス幅に前記非補正パルスのパルス数とを乗算した非補正時間との合計が前記１周期の時間となるように補正を行うことを特徴とする。
【００１９】
パルス幅の補正を行った補正時間と補正を行っていない非補正時間との合計が１周期の時間となるように補正することで、パルス停止期間が生じなくなる。これにより、正確な流量の状態を通知することができる。
【００２０】
また、前記パルス補正部は、前記１周期の時間から前記物理量に応じたパルス数を除算した値に対して前記パルス発生部の分解能よりも小さい値を切り捨てた値を前記非補正パルスのパルス幅とし、前記１周期の時間から前記物理量に応じたパルス数と前記非補正パルスのパルス幅とを乗算した値を減算して、この減算した時間をパルス停止期間とし、このパルス停止期間を前記パルス発生部のＮ（Ｎは自然数）分解能で除算した値を前記補正パルスのパルス数として、前記補正パルスのパルス幅は前記非補正パルスのパルス幅にＮを加算した値とし、前記非補正パルスのパルス数は前記物理量に応じたパルス数から前記補正パルスのパルス数を減算した値として計算することを特徴とする。
【００２１】
パルス停止期間は、パルス幅がパルス発生部の分解能よりも小さい値を含むときに生じるものである。そこで、パルス発生部の分解能に基づいて前記の補正を行うことで、パルス停止期間を生じないように補正を行うことができる。これにより、正確な流量通知を行うことができる。
【００２２】
また、前記パルス補正部は、前記Ｎの値を１として計算することを特徴とする。
【００２３】
補正パルスのパルス幅を補正することにより、パルス停止期間をなくすことができるが、補正パルスのパルス幅と非補正パルスのパルス幅との差異をできる限り小さくすることで、パルス形状が最も近い状態で、パルス停止期間をなくすことができる。これにより、パルスを良好に認識することができる。
【００２４】
また、前記パルス補正部は、前記補正期間のパルスがＨｉｇｈになっている時間とＬｏｗになっている時間とを前記パルス幅として個別的に補正可能なことを特徴とする。
【００２５】
１パルスのパルス幅をＨｉｇｈになっている時間とＬｏｗになっている時間との合計にするのではなく、Ｈｉｇｈになっている時間とＬｏｗになっている時間とを別個のパルス幅とすることができる。そして、Ｈｉｇｈになっているパルス幅またはＬｏｗになっているパルス幅を補正することで、パルス停止期間をなくすことができる。
【００２６】
また、本発明のフィールド機器のパルス出力方法は、物理量を測定して得られる物理量信号に基づいて前記物理量を演算し、この物理量に応じたパルスを発生するフィールド機器から前記パルスを出力するときに、前記物理量の演算を行う１周期の間に前記パルスを出力していないパルス停止期間が生じないように前記１周期の中の前記パルスの一部のパルスにパルス幅の補正を行うことを特徴とする。
【発明の効果】
【００２７】
本発明は、１周期とパルス数との関係によってパルス停止期間を生じるときには、パルス補正部がパルス停止期間を生じないように補正を行っている。これにより、１周期の間にパルス停止期間が生じなくなるため、正確な流量の状態を通知することができる。
【図面の簡単な説明】
【００２８】
【図１】実施形態の流量計を示す構成図である。
【図２】１周期の中の補正パルスと非補正パルスとを示した図である。
【図３】１周期の中の補正パルスと非補正パルスとを示した他の例の図である。
【図４】従来の流量計を示す構成図である。
【図５】パルス停止期間を説明するための図である。
【発明を実施するための形態】
【００２９】
以下、図面を参照して、本発明の実施形態について説明する。本実施形態では、フィールド機器として流量計を説明する。つまり、測定対象の物理量が流体の流量である流量計について説明しているが、測定対象の物理量が温度である温度計や圧力である圧力計等のフィールド機器に本実施形態を適用することができる。
【００３０】
図１に示すように、フィールド機器としての流量計１は制御装置２に接続されている。制御装置２は上位の制御装置であり、流量計１が測定した流量をパルスＰに基づいて認識する。また、制御装置２から流量計１に任意の制御を行うことができる。制御装置２はフィールド機器としての流量計１の外部に設けられる外部装置となる。
【００３１】
配管３は流体が流れる流路である。この配管３を流れる流体の流量が測定対象の物理量となる。配管３を流れる流体の流量を測定するための流量計１は、流量センサ４と流量演算器５とパルス幅補正計算器６とパルス発生器７とを備えて構成している。
【００３２】
配管３には流量センサ４が設けられる。流量センサ４は配管３を流れる流体の流量を検出するセンサである。流量センサ４が検出する流体の流量は流量信号Ｄとして流量演算器５に出力される。この流量センサ４は検出部として機能する。
【００３３】
流量演算器５は流量信号Ｄに基づいて、配管３を流れる流体の流量を演算する。流量の演算は一定周期（演算周期：以下、単に周期とする）ごとに行われる。１周期の間の流量を演算して、これを流量値Ｖとしてパルス幅補正計算器６に出力する。この流量演算器５は演算部として機能する。
【００３４】
パルス幅補正計算器６はパルス補正部であり、流量値Ｖを入力する。そして、パルス幅補正計算器６は、流量値Ｖに基づいて演算を行って、設定値Ｓをパルス発生器７に設定する。設定値Ｓは制御装置２に流量を通知するためのパルスＰを出力するために設定される値であり、１周期の間にパルスＰを出力していないパルス停止期間を生じないように補正を行う。なお、図１では、パルス幅補正計算器６を流量計１の内部に備えた構成を例示したが、パルス幅補正計算器６は流量計１の外部に備えた構成としてもよい。
【００３５】
パルス発生器７は設定値Ｓに基づいて、パルスＰを出力するパルス発生部である。この設定値Ｓが示すパルス数およびパルス幅のパルスＰを出力する。パルスＰの出力は周期ごとに行われる。
【００３６】
以上が構成である。次に、動作について説明する。配管３には流体が流れており、流量センサ４が流体の流量を検出する。流量センサ４が検出した流量は流量信号Ｄとして流量演算器５に入力される。流量演算器５は流量信号Ｄに基づいて流量を演算して、その結果を流量値Ｖとしてパルス幅補正計算器６に出力する。
【００３７】
パルス幅補正計算器６は流量値Ｖに応じて設定値Ｓをパルス発生器７に出力する。流量値Ｖは１周期の間のパルス数と比例しており、流量値Ｖが高ければパルス数は多くなり、低ければパルス数は少なくなる。このパルス数に基づいて、流量を認識することができる。パルス数は１周期の間のパルスＰの数であり、これを設定値Ｓとしてパルス発生器７に出力することで、流量値Ｖに応じたパルス数のパルスＰを制御装置２に出力することができる。
【００３８】
１周期の時間（Ｔ）は予め設定されており、この１周期の時間Ｔを流量値Ｖに応じたパルス数（ＰＮ）で除算することにより、１パルスのパルス幅（ＰＷ）が決定される。ここで、パルス発生器７は所定の分解能を有している。このとき、パルス幅ＰＷの値（時間）はパルス発生器７の分解能よりも小さい値を含んでいる場合がある。
【００３９】
ここでは、１周期の時間ＴをＴ＝１，０００ｍｓ＝１，０００，０００μｓとして、流量値Ｖに応じたパルス数ＰＮがＰＮ＝１５，０００であるものとする。従って、パルスＰのパルス幅ＰＷは「ＰＷ＝１，０００，０００÷１５，０００＝６６．６６６・・・μｓ」となる。
【００４０】
このとき、パルス発生器７の分解能が１μｓであるとすると、１μｓよりも小さい値（時間）はパルス発生器７では認識されない。従って、小数点以下の値は切り捨てが行われる。つまり、パルス幅ＰＷは６６μｓとなる。このため、パルス幅ＰＷとパルス数ＰＮとを乗算した結果は９９０ｍｓとなり、１周期の時間Ｔ（＝１，０００ｍｓ）に対して１０ｍｓが不足する。
【００４１】
図５でも説明したが、この１０ｍｓはパルスＰを出力していないパルス停止期間となる。従って、このパルス停止期間の間はパルスＰが出力されていない状態になるため、配管３に流れる流体の流量がゼロであると誤認識される。これにより、流体の流量を正確に流量計１の外部に通知することはできない。
【００４２】
そこで、パルス幅補正計算器６は、前記の演算を行って、パルス停止期間を生じることを認識したときには、パルスＰのうち一部のパルスのパルス幅の補正を行う。なお、パルス停止期間を生じないときにはパルス幅の補正を行う必要はない。または、パルス幅の補正量をゼロとしてもよい。
【００４３】
パルス幅補正計算器６は、パルス停止期間の時間（ＳＴ）を生じることを認識したときには、パルス停止期間ＳＴをパルス発生器７の分解能で除算する。ここでは、パルス発生器７の分解能は１μｓであり、パルス停止期間ＳＴは１０ｍｓ＝１０，０００μｓである。よって、除算結果は１０，０００となる。
【００４４】
この除算結果はパルス幅ＰＷの補正を行う対象となるパルス（補正パルス）のパルス数を示している。前述したように、流量値Ｖに応じたパルス数ＰＮは１５，０００である。このうち補正パルスのパルス数は１０，０００になる。よって、パルス数ＰＮから補正パルスのパルス数を減算した、残りの５，０００のパルスは補正対象とはならないパルス（非補正パルス）になる。
【００４５】
パルス幅補正計算器６は、補正パルスのパルス幅をパルス幅の分解能の分だけ大きくする補正を行う。つまり、１０，０００個の補正パルスについてはパルス幅ＰＷ（＝６６μｓ）に対して分解能（１μｓ）を加算する。よって、補正パルスのパルス幅ＰＷはＰＷ＝６７μｓとなる。一方、非補正パルスのパルス幅ＰＷは６６μｓである。
【００４６】
図２は、パルスＰのうち最初の１０，０００個のパルスは補正パルスとして、そのパルス幅を６７μｓとする。そして、残りの５，０００個のパルスは非補正パルスとしてパルス幅を６６μｓとしている。つまり、１周期の中のパルスＰの一部とそれ以外とでパルス幅を変化させている。
【００４７】
従って、１周期の中の全てのパルス数ＰＮは１５，０００であるが、パルス幅ＰＷが６７μｓである補正パルスが１０，０００、パルス幅が６６μｓである非補正パルスが５，０００であることを示す設定値Ｓがパルス発生器７に出力する。パルス発生器７はこの設定値Ｓに基づいてパルスＰを出力する。
【００４８】
図２に示すように、最初の１０，０００個の補正パルスのパルス幅は６７μｓに補正されている。従って、補正パルスが出力されている間の補正期間Ｔ１は当該パルス幅に１０，０００を乗算した６７０，０００μｓ＝６７０ｍｓになる。一方、残りの５，０００個の非補正パルスのパルス幅は６６μｓに補正されている。従って、非補正パルスが出力されている間の非補正期間Ｔ２は当該パルス幅に５，０００を乗算した３３０，０００＝３３０ｍｓになる。
【００４９】
従って、６７０ｍｓ＋３３０ｍｓ＝１，０００ｍｓとなる。これは、１周期の時間Ｔ（＝１，０００ｍｓ）と同じになる。つまり、図２に示すように、１周期の間にパルスＰを出力していないパルス停止期間を生じなくなる。これは、１周期の全てのパルス数ＰＮのうち一部の補正パルスのパルス幅を非補正パルスのパルス幅よりも大きくする補正を行っているためである。
【００５０】
これにより、パルス停止期間がなくなり、連続的にパルスＰを出力することができる。当該パルスＰは制御装置２に入力される。制御装置２に入力されるパルスＰにはパルス停止期間は生じていない。これにより、流量値Ｖを示す１５，０００個のパルスＰが連続的に制御装置２に入力されることで、制御装置２に正確な流量の状態を通知することができる。
【００５１】
従って、流量値Ｖに応じたパルス数ＰＮと１周期の時間Ｔとに基づいて、パルス幅ＰＷを演算してパルスＰを出力するときに、パルス発生器７の分解能によりパルス停止期間を生じるとしても、パルス幅補正計算器６がパルス幅の補正を行うことで、パルス停止期間をなくすことができ、正確な流量の状態を通知することができる。
【００５２】
以上において、パルス発生器７の分解能は１μｓとしたが、１μｓでなくてもよい。例えば、２μｓでもよいし、０．５μｓでもよい。この分解能はパルス発生器７の回路の性能に依存する。前述した補正パルスのパルス数は、パルス停止期間ＳＴをパルス発生器７の分解能で除算して得られるため、当該分解能により補正パルスのパルス数は変化する。
【００５３】
また、補正パルスのパルス幅を計算するときに、パルス停止期間ＳＴをパルス発生器７の分解能で除算しているが、パルス発生器７の分解能の２倍以上で除算してもよい。つまり、補正パルスのパルス幅は、パルス停止期間ＳＴはＮ（Ｎは自然数）分解能で除算してもよい。このＮ分解能は、パルス発生器７の分解能のＮ倍になる。そして、パルス停止期間ＳＴをＮ倍の分解能で除算したときには、補正パルスのパルス幅は非補正パルスのパルス幅にＮを加算した値になる。
【００５４】
例えば、前述の場合において、パルス停止期間ＳＴを分解能の２倍で除算するときには、補正パルスは５，０００個になる。そして、非補正パルスのパルス幅６６μｓに２を加算した６８μｓが補正パルスのパルス幅になる。この場合においても、補正時間Ｔ１＝６８μｓ×５，０００＝３４０，０００μｓ＝３４０ｍｓとなり、非補正時間Ｔ２＝６６μｓ×１０，０００＝６６０，０００μｓ＝６６０ｍｓとなる。よって、補正時間Ｔ１と非補正時間Ｔ２との合計は１，０００ｍｓとなり、パルス停止期間を生じない。
【００５５】
従って、補正パルスのパルス幅を補正するときに除算するＮの値は２以上であってもよいが、Ｎ＝１が最も好ましい。Ｎ＝１としたときには、補正パルスのパルス幅（＝６７μｓ）と非補正パルスのパルス幅（＝６６μｓ）との差が１μｓとなる。従って、補正パルスと非補正パルスとのパルス幅の差は非常に小さくなる。
【００５６】
パルス発生器７からパルスＰを制御装置２に対して出力することで、パルスＰに基づいて制御装置２は配管３を流れる流量を認識することができる。且つ、パルス停止期間を生じることがないため、正確な流量通知ができる。ただし、補正パルスと非補正パルスとのパルス幅の差が大きくなると、制御装置２において正確に認識をすることができなくなるおそれがある。
【００５７】
このため、補正パルスのパルス幅と非補正パルスのパルス幅との差はできる限り小さくして、好ましくは分解能の１倍にすることで、補正パルスと非補正パルスのパルス幅との差を最小にする。これにより、補正パルスと非補正パルスとのパルス形状が殆ど同じになり、制御装置２は良好に流量の認識を行なうことができる。
【００５８】
また、図２では、１周期のうち前半部分に補正パルスを出力し、後半部分に非補正パルスを出力した場合を示したが、前半部分に非補正パルスを出力し、後半部分に補正パルスを出力してもよい。この場合には、１周期のうち最初にパルス幅が６６μｓの非補正パルスが５，０００個出力され、次にパルス幅が６７μｓの補正パルスが１０，０００個出力される。
【００５９】
また、本実施形態では、パルスデューティーが１：１、つまり１パルスのうちＨｉｇｈになっている時間とＬｏｗになっている時間とが等しい場合について説明したが、パルスデューティーは任意の値としてもよい。
【００６０】
また、図２に示すように、１つのパルス幅はＨｉｇｈになっている時間とＬｏｗになっている時間との合計としているが、パルス幅をＨｉｇｈになっている時間とＬｏｗになっている時間とに分けてもよい。つまり、Ｈｉｇｈになっている時間をパルス幅として設定し、Ｌｏｗになっている時間をパルス幅として設定する。
【００６１】
そして、パルス幅補正計算器６はＨｉｇｈになっているパルス幅またはＬｏｗになっているパルス幅を大きくすることにより、パルス停止期間をなくす補正を行ってもよい。これによっても、パルス停止期間をなくす補正を行うことは可能であり、正確な流量通知を行うことは可能になる。
【００６２】
また、補正パルスおよび非補正パルスは連続して出力しているが、これを１周期の中に分散させてもよい。図３はその一例を示しており、補正パルスを２回連続出力した次に非補正パルスを１回出力する。これを繰り返すことにより、１周期の中にパルス停止期間をなくすことができる。
【００６３】
ただし、１周期の中の補正パルスの個数の合計は１０，０００であり、非補正パルスの個数の合計は５，０００であるとする。なお、この場合は、補正パルスと非補正パルスとの個数の比率は２：１となるため、補正パルスを２回連続出力した次に非補正パルスを１回出力する場合を説明したが、補正パルスと非補正パルスとの出力の仕方は任意である。
【００６４】
要は、前述の場合、１周期の中の補正パルスの個数の合計は１０，０００であり、非補正パルスの個数の合計は５，０００であれば、補正パルスと非補正パルスとは任意の順番でランダムに出力してもよい。
【符号の説明】
【００６５】
１    流量計
２    制御装置
３    配管
４    流量センサ
５    流量演算器
６    パルス幅補正計算器
７    パルス発生器
【図１】
2013164322.tif 000003
【図２】
2013164322.tif 000004
【図３】
2013164322.tif 000005
【図４】
2013164322.tif 000006
【図５】
2013164322.tif 000007